(57)【要約】      （修正有）【課題】バルコニー・ベランダ又は屋上等でも適用可能であり、大きな設置スペースを必要とせずに既存の物干台に取り付けることができ、かつ十分な転倒防止効果を達成することができる物干台転倒防止装置を提供する。【解決手段】補強水平部２ａと、この補強水平部２ａの両端から垂下する補強鉛直部２ｂとを有するコの字型の補強部材２を一体形成する。上端に水平状の物干竿支持部を有する逆Ｌ字型の一対の支柱６，６と、この支柱６，６の鉛直状柱部６ｂ，６ｂの下端を保持する基台７とを具備する少なくとも２つの物干台５の鉛直状柱部６ｂ，６ｂに固定手段３を介して補強部材２を取り付けることによって物干台転倒防止装置１を形成する。【選択図】図４
0003163248.tif 000002
【実用新案登録請求の範囲】
【請求項１】
上端に水平状の物干竿支持部を有する逆Ｌ字型の一対の支柱と、この支柱の鉛直状柱部の下端を保持する基台とを具備する少なくとも２つの物干台に取り付ける物干台転倒防止装置であって、
水平方向に離隔設置された前記少なくとも２つの物干台の前記支柱間に配置される補強水平部と、この補強水平部の両端から垂下する補強鉛直部とを有するように一体形成されたコの字型の補強部材を備え、この補強部材の前記補強鉛直部を前記支柱の鉛直方向の適所で前記一対の鉛直状柱部に相互に沿わせて結束固定するための固定手段を具備することを特徴とする物干台転倒防止装置。
【請求項２】
請求項１に記載の物干台転倒防止装置を取り付けたことを特徴とする物干台。
【考案の詳細な説明】
【技術分野】
【０００１】
本考案は、物干台転倒防止装置及びこの物干台転倒防止装置を備えた物干台に関する。
【背景技術】
【０００２】
従来の物干台は、上端に水平状の物干竿支持部を有する逆Ｌ字型の一対の支柱と、この支柱の鉛直状柱部の下端を保持する基台とを具備する。そして複数（通常２つ）の物干台を水平方向に離隔設置し、各物干竿支持部に設けた各物干竿受部に物干竿を架けることにより物干竿が水平方向に延びる状態で維持される。基台は、一般的にコンクリート等の重量物から成り、強風等による物干台の転倒防止が企図されている。しかし、洗濯物が多い場合や、シーツや毛布等の大型の洗濯物を干す場合には、風に対する抵抗が大きくなる。すなわち、風は洗濯物の上下左右を洗濯物をなびかせながら通り抜けようとし、そのとき発生する風力と風向により物干台に「ひねり」を生じさせる。連続的にその力が加わることにより、さらに「ひねり」が生じ、物干台の重心を「ひねり方向」に移動させるので物干台が転倒してしまう。基台を地に埋め込むか又はコンクリートで固定する等を施すことにより転倒を防止することができるが、特にバルコニー・ベランダ又は屋上の場合は埋め込み等ができないので、据置式の基台を使用するのが一般的である。
【０００３】
上述したような転倒を防止するため、特許文献１には、基台１１の上に配設されて基台１１と支柱１２の下端部分との少なくとも一方に対して係止される係止部分１６と、基台１１の外周部分において地盤１４に打設される複数のアンカー部分１８とを設けて、基台１１の外周部分の複数箇所において係止部分１６をアンカー部分１８で地盤１４に固定するようにした物干台設置具１０が開示されている（図１０参照）。しかしながら、このような物干台設置具１０は、アンカー部分１８を地盤１４に打設しなければならないので、バルコニー・ベランダ又は屋上等には適用できない。
【０００４】
一方、特許文献２には、物干台の基台２２を平板状の棒体２３の中央部に載置し、一対の挟着片２４，２４で挟着すると共に、この挟着片２４，２４をねじ部材２５で棒体２３に固定したものであって、挟着片２４の棒体２３への取付け部２６には長孔の挿通孔２７を設け、この挿通孔２７を介してねじ部材２５を棒体２３の両側部に形成したねじ孔に螺合させると共に、挟着片２４の取付け部２６の両側部には下向きに折曲されたガイド用の爪部２８を設けた物干台用転倒防止装置２０が開示されている（図１１参照）。この転倒防止装置２０はベランダ等でも適用できるが、十分な転倒防止効果を得るためには、棒体２３を外方に大きく張り出させなければならない。そのため、大きな設置スペースが必要であるのみならず、張り出した棒体２３に人が足を引っ掛けてしまう可能性がある。
【先行技術文献】
【特許文献】
【０００５】
【特許文献１】特開２００８−３０７３００号公報
【特許文献２】特開２０００−２４３８８号公報
【考案の概要】
【考案が解決しようとする課題】
【０００６】
本考案は、従来の物干台の上記問題を克服すべく案出されたものであり、本考案の目的は、バルコニー・ベランダ又は屋上等でも適用可能であり、大きな設置スペースを必要とせずに既存の物干台に容易に取り付けることができ、かつ十分な転倒防止効果を達成することができる物干台転倒防止装置及びこの物干台転倒防止装置を備えた物干台を提供することである。
【課題を解決するための手段】
【０００７】
前記目的を達成するため、本考案は、上端に水平状の物干竿支持部を有する逆Ｌ字型の一対の支柱と、この支柱の鉛直状柱部の下端を保持する基台とを具備する少なくとも２つの物干台に取り付ける物干台転倒防止装置であって、水平方向に離隔設置された前記少なくとも２つの物干台の前記支柱間に配置される補強水平部と、この補強水平部の両端から垂下する補強鉛直部とを有するように一体形成されたコの字型の補強部材を備え、この補強部材の前記補強鉛直部を前記支柱の鉛直方向の適所で前記一対の鉛直状柱部に相互に沿わせて結束固定するための固定手段を具備することを特徴とする。
【０００８】
ここで、「支柱の鉛直方向の適所」としては、基台の下端から支柱の上端までの高さの略中央又はそれより高い位置に補強部材の補強水平部が配置されるような位置が、転倒防止効果の上で好ましい。
また、固定手段は、補強鉛直部の上端側と下端側にそれぞれ設けることが好ましい。
さらに、本考案は、前記転倒防止装置を取り付けた物干台をも提供する。
【考案の効果】
【０００９】
このような手段を講じたので、上述したような風によって物干台に「ひねり」が生じないように矯正することで物干台の転倒を効率的に防止することができる。また、物干台を新たに設置する場合のみならず、既存の物干台にも本考案の転倒防止装置を容易に取り付けることができるので、適用範囲が有利に広がる。さらに、転倒防止装置の補強水平部にも洗濯物や布団等を干すことができ、物干台の付加価値をさらに高めることができる。
【図面の簡単な説明】
【００１０】
【図１】本考案の一実施形態の物干台転倒防止装置の補強部材の正面図である。
【図２】図１の要部拡大図である。
【図３】図１の断面拡大側面図である。
【図４】本考案の一実施形態の物干台を示す正面図である。
【図５】本考案の一実施形態の物干台の支柱と補強部材を固定バンドで結束した状態を示す要部拡大正面図である。
【図６】本考案の一実施形態の物干台を示す側面図である。
【図７】本考案の一実施形態の物干台の支柱と補強部材を固定バンドで結束した状態を示す要部拡大側面図である。
【図８】本考案の一実施形態の物干台を示す平面図である。
【図９】本考案の一実施形態の物干台の支柱と補強部材を固定バンドで結束した状態を示す要部拡大平面断面図である。
【図１０】従来の物干台設置具を示す要部拡大縦断面図である。
【図１１】従来の物干台用転倒防止装置を示す斜視図である。
【考案を実施するための形態】
【００１１】
以下、図面を参照しながら本考案の実施形態について詳細に説明する。
図１は、本考案の一実施形態に係る転倒防止装置１の補強部材２を示す正面図である。補強部材２は、水平方向に伸長する補強水平部２ａと、この補強水平部２ａの両端から垂下する補強鉛直部２ｂ，２ｂとが一体形成されている。補強部材２は、強度の面からステンレスやスチール等の強度のある金属製の中空パイプで作製するのが好ましい。例えば、図３に示す肉厚Ｔが２．０ｍｍ、外径Ｄが２７．２ｍｍのステンレス製の中空パイプ（例えば、ＳＵＳ３０４ステンレス鋼管）を使用することができる。
【００１２】
補強部材２は、中空パイプをベンダ曲げ加工するか、又はロングエルボを用いて溶接加工して、補強水平部２ａ、補強鉛直部２ｂ及び円弧部２ｃを有するコの字型に一体形成される。円弧部２ｃの中心曲げ半径Ｒ（以後、芯Ｒと称する；図２参照）は、できる限り小さいことが好ましい。これは、後述する固定手段を用いて補強部材２を物干台５の支柱６に取り付ける際に、芯Ｒが小さいほど補強水平部２ａに近い位置で取り付けることができるため、補強部材２を強固に支柱６に固定することができ、ひいては転倒防止装置１の強度を高められるからである。例えば、前記サイズのＳＵＳ３０４ステンレス鋼管を利用する場合、芯Ｒが３８．１ｍｍのＳＵＳロングエルボを用いて補強部材２を一体形成することができる。また、ベンダ曲げ加工により芯Ｒを約５０ｍｍとすることができる。
【００１３】
補強水平部２ａ及び補強鉛直部２ｂの長さＬａ及びＬｂは、物干台の大きさ、設置条件等によって適宜選択される。補強水平部２ａの長さＬａは３５００ｍｍ以下が好ましく、例えば３２００ｍｍとすることができる。補強鉛直部２ｂの長さＬｂは７００ｍｍ以上が好ましい。
【００１４】
このように作製した補強部材２を固定手段３を介して一般的な物干台５に取り付ける。物干台５は、図４及び６に示すように、上端に水平状の物干竿支持部６ａを有する逆Ｌ字型の一対の支柱６，６と、この支柱６，６の鉛直状柱部６ｂ，６ｂの下端を保持する基台７とを具備する。この少なくとも２つの物干台５を水平方向に離隔設置し、物干台５のそれぞれの物干竿支持部６ａに設けた物干竿受部８に物干竿（図示せず）を架けることによって、物干竿を水平方向に延びる状態で維持する。なお、図４及び６には、一対の物干竿支持部６ａ，６ａの高さが異なる物干台５を示してあるが、これに限定するものではなく、当然のことながら、同じ高さのものであってもよい。
【００１５】
物干台５に補強部材２を取り付けるための固定手段３としては、特に限定するものではないが、例えば、ステンレス製の固定バンド（例えばＳＵＳ３０４強力キカイバンド）を使用することができる。補強部材２の補強鉛直部２ｂを２つの物干台５のそれぞれの一対の鉛直状柱部６ｂ，６ｂに相互に添わせるように、固定バンド３の締付け部３ａのボルトで締め付けることによって（図５、７及び９参照）、補強部材２を物干台５にしっかり結束固定することによって物干台転倒防止装置１が形成される。補強鉛直部２ｂの可能な限り上方の上端側と下端側の少なくとも２箇所で固定することが望ましい。なお、補強部材２を取り付ける鉛直方向の位置は、特に限定されないが、図４に示すように、基台７の下端から支柱６の上端までの高さＨ１の半分以上の高さＨ２に補強水平部２ａが位置するようにすると、転倒防止効果の観点から好ましい。
【００１６】
このように、物干台転倒防止装置１を物干台５に取り付けて、前述したような「ひねり」が生じないように矯正することによって、物干台５の転倒を有効に防止することができる。さらに、補強水平部２ａにも洗濯物や布団等を干すことができ、物干台５の付加価値を高めることができる。
【００１７】
以上、本考案の実施形態について詳述したが、この実施形態の具体的な記載によって本考案は何ら限定されるものでなく、当業者の知識に基づいて種々の変更、修正等を加えた態様で実施可能である。例えば、前記実施形態では、中空パイプを用いて補強部材を作製したが、丸棒を利用してもよい。
【符号の説明】
【００１８】
１    物干台転倒防止装置
２    補強部材
２ａ  補強水平部
２ｂ  補強鉛直部
２ｃ  円弧部
３    固定手段（固定バンド）
３ａ  締付け部
５    物干台
６    支柱
６ａ  鉛直状注部
６ｂ  物干竿支持部
７    基台
８    物干竿受部
【図１】
0003163248.tif 000003
【図２】
0003163248.tif 000004
【図３】
0003163248.tif 000005
【図４】
0003163248.tif 000006
【図５】
0003163248.tif 000007
【図６】
0003163248.tif 000008
【図７】
0003163248.tif 000009
【図８】
0003163248.tif 000010
【図９】
0003163248.tif 000011
【図１０】
0003163248.tif 000012
【図１１】
0003163248.tif 000013